(57)【要約】【課題】本考案はダイエット運動中に生じる位置ズレを防止して、ウエスト部（腹部）に対して効果的に発汗効果及び引き締め効果を及ぼすことができるシェイプアップ用のズボンを提供することを目的とする。【解決手段】本考案は、股下部２と、股下部と一体的に成形された股上部１と、股上部１に連結した帯状の腹巻部３とを有し、腹巻部３の一端と他端とを着脱自在に構成して成り、腹巻部３を人体に巻き付けた状態において、腹巻部３の両端と股上部１の正面とが重なり合う状態に保持されることを特徴とするシェイプアップ用のズボンＳＰである。【選択図】図１
0003127727.tif 000002
【実用新案登録請求の範囲】
【請求項１】
股上部と、股上部に連結した腹巻部とを有し、腹巻部の一端と他端とを着脱自在に構成したことを特徴とするシェイプアップ用のズボン。
【請求項２】
股下部と、股下部と一体的に成形された股上部と、股上部に連結した腹巻部とを有し、腹巻部の一端と他端とを着脱自在に構成して腹巻部を人体の腹部に巻き付けた状態に保持することを特徴とするシェイプアップ用のズボン。
【請求項３】
股下部と、股下部と一体的に成形された股上部と、股上部に連結した帯状の腹巻部とを有し、腹巻部の一端と他端とを着脱自在に構成して成り、腹巻部を人体に巻き付けた状態において、腹巻部の両端と股上部の正面とが重なり合う状態に保持されることを特徴とするシェイプアップ用のズボン。
【請求項４】
本考案は、股下部と、股下部と一体的に成形された股上部と、股上部に連結した帯状の腹巻部とを有し、腹巻部を人体に巻き付けた状態において、股上部の正面と腹巻部の両端の裏面とが対向した状態に保持されることを特徴とするシェイプアップ用のズボン。
【請求項５】
股下部と、股下部と一体的に成形された股上部と、股上部に連結した帯状の腹巻部とを有し、腹巻部の一端と他端にそれぞれ面状ファスナーを設けて両者を着脱自在とすることにより人体に巻き付けるシェイプアップ用のズボンであって、腹巻部を人体に巻き付けた状態において、股上部の正面と腹巻部の一端と他端とが３重に重なり合う状態に保持されることを特徴とするシェイプアップ用のズボン。
【考案の詳細な説明】
【技術分野】
【０００１】
本考案はシェイプアップ用のズボンに関する。
【背景技術】
【０００２】
従来より、体型を整える等を目的として有酸素運動等のダイエット運動が行われている。そして、ダイエット運動を行う女性は、バスト周りやヒップ周りのサイズ低減よりも相対的にウエスト周り（腹部）のサイズ低減を特に求める場合が多い。
【０００３】
そこで、例えば図６に示す帯状の引き締め用具６が提案されている。かかる引き締め用具６は、人体のウエスト部（腹部）に巻き付けて使用するものであり、これを身に付けて運動すれば、腹部に対して発汗効果及び引き締め効果をもたらすことから、ウエスト周りを細くするのに有効といえる。
【考案の開示】
【考案が解決しようとする課題】
【０００４】
しかし、かかる引き締め用具６を身に付けて運動していると、運動開始時から時間が経過するにしたがって位置ズレが起こるという問題がある。例えば、かかる引き締め用具６は細くしたいウエスト部に巻き付けて使用するものであるが、運動しているうちに最初に巻き付けた位置よりも上方へと位置ズレを起こしてしまう（図６（ｂ）参照）。このような位置ズレが生じると、発汗効果及び引き締め効果が低減するため、ウエスト周りを効果的に細くすることはできない。
【０００５】
そこで、本考案は運動中に生じる位置ズレを防止して、人体のウエスト部（腹部）に対して効果的に発汗効果及び引き締め効果を及ぼすことができるシェイプアップ用（体型を整えるため）のズボンを提供することを目的とする。
【課題を解決するための手段】
【０００６】
本考案は、股上部と、股上部に連結した腹巻部とを有し、腹巻部の一端と他端とを着脱自在に構成したことを特徴とするシェイプアップ用のズボンである。
【０００７】
また、本考案は、股下部と、股下部と一体的に成形された股上部と、股上部に連結した腹巻部とを有し、腹巻部の一端と他端とを着脱自在に構成して腹巻部を人体の腹部に巻き付けた状態に保持することを特徴とするシェイプアップ用のズボンである。
【０００８】
また、本考案は、股下部と、股下部と一体的に成形された股上部と、股上部に連結した帯状の腹巻部とを有し、腹巻部の一端と他端とを着脱自在に構成して成り、腹巻部を人体に巻き付けた状態において、腹巻部の両端と股上部の正面とが重なり合う状態に保持されることを特徴とするシェイプアップ用のズボンである。
【０００９】
また、本考案は、股下部と、股下部と一体的に成形された股上部と、股上部に連結した帯状の腹巻部とを有し、腹巻部を人体に巻き付けた状態において、股上部の正面と腹巻部の両端の裏面とが対向した状態に保持されることを特徴とするシェイプアップ用のズボンである。
【００１０】
また、本考案は、股下部と、股下部と一体的に成形された股上部と、股上部に連結した帯状の腹巻部とを有し、腹巻部の一端と他端にそれぞれ面状ファスナーを設けて両者を着脱自在とすることにより人体に巻き付けるシェイプアップ用のズボンであって、腹巻部を人体に巻き付けた状態において、股上部の正面と腹巻部の一端と他端とが３重に重なり合う状態に保持されることを特徴とするシェイプアップ用のズボンである。
【考案の効果】
【００１１】
本考案は、股上部と股上部に連結した腹巻部とを有することから、従来技術において生じる位置ズレを回避することができ、人体の腹部に対して集中的な発汗効果と引き締め効果を及ぼすことができる。よって、本考案は、ウエスト周り（腹部）を相対的に減少させたいという女性の願望を充足するものである。
【考案を実施するための最良の形態】
【００１２】
以下、本考案を実施するための最良の形態を、実施例として示す各図と共に説明する。
【実施例】
【００１３】
本実施例にかかるシェイプアップ用のズボンＳＰは、股上部１と股下部２からなる膝上丈の半ズボンＰに腹巻部３を連結してなるものである。
【００１４】
股上部１と股下部２からなる半ズボンＰは一体的に成形されており、股下部２は主に人体の太股部を覆う部分であり、股上部１は主に人体の下腹部及び臀部を覆う部分である。
【００１５】
股上部１及び股下部２は積層体で構成される。すなわち、股上部１及び股下部２は、外側に露出する表層、人体表面に接触する裏層、表層と裏層の間の中間層で構成される３層構造を成している。例えば、気密性を有すると共に伸縮性を有するポリウレタンを表層とし、気密性を高めて体温を上昇させるポリウレタンコーティングフィルムを中間層とし、肌触りの良いコットンを裏層として構成する。なお、腹巻部３も上記と同様の３層構造で構成されている。
【００１６】
また、半ズボンＰの股上部１の上部開口には、半ズボンＰの穿き易さを考慮して、ゴムからなるベルト部１ａを設けている。ベルト部１ａは股上部１を構成する他の部分よりも伸縮性が大きい。
【００１７】
腹巻部３は横長長方形の帯状体であって、両端に面状ファスナー３を設けて着脱自在としている。すなわち、腹巻部３の裏面（体に巻き付けたときに体と向かい合う面、図１に表れる面）の一端に雄型面状ファスナー３ａを設け、他方、腹巻部３の表面の一端に雌型面状ファスナー３ｂを設けている。なお、締め付け具合を調整し易くするため、雄型面状ファスナー３ａよりも雌型面状ファスナー３ｂの面積を約２倍程度に大きくしている。
【００１８】
腹巻部３は股上部１の背面に縫合されて連結している。腹巻部３は、股上部１の一部と腹巻部３の一部とが前後方向に対向するように連結している。具体的には、腹巻部３の裏面（図１側）の下側中央部（Ｙ２−Ｘ２部）と、股上部１の背面の上部とが前後方向（図１中手前―奥方向）に対向するように縫合されて連結している。図２のとおり、股上部１の背面上部の略中央付近（左右の中央）と、腹巻部３の下側中央部（Ｙ２−Ｘ２部）の略中央付近に縫目４を構成して縫合している。縫目４は、ベルト部１ａの下辺と腹巻部３の下辺との間に形成される。
【００１９】
本実施例に係るシェイプアップ用のズボンＳＰを装着するには、まず股上部１の上部開口から両足を挿入して股下部２の下側の開口から右足及び左足を出すことによって半ズボンＰを穿き、次いで、腹巻部３の一端（Ｘ３）を、その裏面の一部（Ｙ２側付近）が股上部１の正面と対向するように巻き付ける。そうすると、腹巻部３の一端（Ｘ３）の表面に形成された雌型面状ファスナー３ｂが図１中手前方向（正面方向）を向くようになる。そして、腹巻部３の他端（Ｘ１）を、その裏面の一部（Ｙ２側付近）が股上部１の正面と対向するように巻き付けると、腹巻部３の他端（Ｘ１）の裏面に形成された雄型面状ファスナー３ａが図中奥方向を向くようになり、雌型面状ファスナー３ｂの表面と雄型面状ファスナー３ａの表面とが対向して係止し得る状態となる。腹巻部３を使用者の体型（腹部の太さ）に応じて締め付けるようにして巻き付けた後、雌型面状ファスナー３ｂに対して雄型面状ファスナー３ａを押し付けて両者を係止する。そうすると、図３、４、５のように、人体の腹部が腹巻部３によって覆われた状態が保持される。
【００２０】
このとき人体の腹部が締め付けられた状態が保持されると共に、図３、４に示すとおり、人体の腹部には、正面から外側に向って順に、股上部１の正面上部（Ｕ）、腹巻部３の一端の一部（Ｙ２−Ｘ３部、下側一端部）、腹巻部３の他端の一部（Ｙ２−Ｘ１、下側他端部）の３層が重なり合う状態になる。
【００２１】
本考案は、股上部１と股上部２からなる半ズボンＰに対して腹巻部３を連結しているから、上述した従来技術において生じる位置ズレを防止することができ、人体の腹部に対して集中的且つ効果的に締め付け効果及び発汗効果を及ぼすことができる。
【００２２】
また、人体の腹部において、股上部１の正面と腹巻部３の一端及び他端とが前後方向に対向して３重に重なり合うことから、当該部位における気密性が高まり、発汗効果の向上を図ることができる。
【００２３】
さらに、人体の腹部に対して集中的に締め付け効果及び締め付け効果を及ぼすので、バスト周りやヒップ周りよりも相対的にウエスト周りのサイズの低減効果が大きい。つまり、バスト周りやヒップ周りはグラマーな状態を維持しつつ、ウエスト周りを相対的に減少させたいという女性の願望を充足することができる。
【００２４】
さらに、位置ズレを起さないことから、腰椎のズレを効果的に防止することができる。すなわち、人体の腰椎の周りを腰椎に向って圧迫することによって腰椎のズレを効果的に防止することもできる。
【図面の簡単な説明】
【００２５】
【図１】本考案の実施例の正面図。
【図２】本考案の実施例の背面図。
【図３】本考案の実施例の正面図（腹巻部を人体の腹部に巻き付けた状態）
【図４】本考案の実施例の断面部（腹巻部を人体の腹部に巻き付けた状態）。
【図５】本考案の実施例を斜視図（腹巻部を人体の腹部に巻き付けた状態）。
【図６】本考案に関する従来例を示す図
【符号の説明】
【００２６】
ＳＰ  シェイプアップ用のズボン
Ｐ    半ズボン
１    股上部
２    股下部
３    腹巻部
【図１】
0003127727.tif 000003
【図２】
0003127727.tif 000004
【図３】
0003127727.tif 000005
【図４】
0003127727.tif 000006
【図５】
0003127727.tif 000007
【図６】
0003127727.tif 000008
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
股上部（１）と、股上部（１）に連結した帯状の腹巻部（３）とを有し、腹巻部（３）の一端（Ｘ１側）と他端（Ｘ３側）とを着脱自在に構成したことを特徴とするシェイプアップ用のズボン（ＳＰ）。
【請求項２】
股下部（２）と、股下部（２）と一体的に成形された股上部（１）と、股上部（１）に連結した帯状の腹巻部（３）とを有し、腹巻部（３）の一端（Ｘ１側）と他端（Ｘ３側）とを着脱自在に構成して腹巻部（３）を人体の腹部に巻き付けた状態に保持することを特徴とするシェイプアップ用のズボン（ＳＰ）。
【請求項３】
股下部（２）と、股下部（２）と一体的に成形された股上部（１）と、股上部（１）に連結した帯状の腹巻部（３）とを有し、腹巻部の一端（Ｘ１側）と他端（Ｘ３側）とを着脱自在に構成して成り、腹巻部（３）を人体に巻き付けた状態において、腹巻部（３）の両端と股上部（１）の正面とが重なり合う状態に保持されることを特徴とするシェイプアップ用のズボン（ＳＰ）。
【請求項４】
股下部（２）と、股下部（２）と一体的に成形された股上部（１）と、股上部（１）に連結した帯状の腹巻部（３）とを有し、腹巻部の一端（Ｘ１側）と他端（Ｘ３側）とを着脱自在に構成して成り、腹巻部（３）を人体に巻き付けた状態において、股上部（１）の正面と腹巻部（３）の両端の裏面とが対向した状態に保持されることを特徴とするシェイプアップ用のズボン（ＳＰ）。
【請求項５】
股下部（２）と、股下部（２）と一体的に成形された股上部（１）と、股上部（１）に連結した帯状の腹巻部（３）とを有し、腹巻部（３）の一端（Ｘ１側）と他端（Ｘ３側）にそれぞれ面状ファスナーを設けて両者を着脱自在とすることにより人体に巻き付けるシェイプアップ用のズボンであって、腹巻部（３）を人体に巻き付けた状態において、股上部（１）の正面と腹巻部（３）の一端（Ｘ１側）と他端（Ｘ３側）とが３重に重なり合う状態に保持されることを特徴とするシェイプアップ用のズボン（ＳＰ）。